(57)【要約】 【課題】  レバーによりストッパを確実に移動させることができ、信頼性の高いトリガスイッチを提供する。【解決手段】  トリガ１２は、ケース１１の第１側面１１ａに対して垂直方向に移動可能に設けられ、速度制御機構を操作する。切替え機構１４は、ケース１１の第２側面１１ｂに設けられ、モータの回転方向を切替える。レバー１３は、一端部に第１傾斜部１３ａを有し、中間部及び他端部は、切替え機構１４とケース１１の第２側面１１ｂとの間に位置し、他端部が切替え機構１４に連結されている。ストッパ２０は、トリガ１２内に設けられ、レバー１３の第１傾斜部１３ａに当接可能な第２傾斜部２０ｃと、ケース１１の第１係合部１１ｊ、１１ｋに係合可能な第２係合部２０ｄ、２０ｅを具備している。【選択図】図４
2019061875.tif 000002
【特許請求の範囲】
【請求項１】
第１側面と、前記第１側面に隣接する第２側面を有し、モータの回転速度を制御する速度制御機構を内蔵し、前記第１側面に第１係合部を有するケースと、
前記ケースの前記第１側面に接近する方向に移動可能に設けられ、前記速度制御機構を操作するトリガと、
前記ケースに設けられ、前記モータの回転方向を切替える切替え機構と、
一端部と他端部及び前記一端部と前記他端部との間の中間部を有し、前記一端部に第１傾斜部が設けられ、前記中間部が前記ケースに対して回動可能で、前記他端部が前記切替え機構に連結されたレバーと、
前記トリガ内に、前記トリガの移動方向と交差する方向に移動可能に設けられ、前記レバーが前記モータの正回転を示す第１位置に回動された時、前記第１傾斜部に接触されず、前記レバーが前記モータの逆回転を示す第２位置に回動された時、前記第１傾斜部に接触することが可能な第２傾斜部と、前記レバーが前記第１位置に回動され、前記トリガが前記ケース方向に移動された時、前記ケースの前記第１係合部に係合せず、前記レバーが前記第２位置に回動され、前記トリガが前記ケース方向に移動された時、初期位置から移動されて前記ケースの前記第１係合部に係合する第２係合部を有するストッパと、
前記ストッパを前記初期位置方向に付勢する弾性部材と、
を具備することを特徴とするトリガスイッチ。
【請求項２】
前記レバーは、前記ケースの前記第２側面に対して回動可能で、前記中間部及び前記他端部が前記切替え機構と前記ケースの前記第２側面との間に位置されることを特徴とする請求項１記載のトリガスイッチ。
【請求項３】
前記第１係合部及び前記第２係合部の少なくとも一方は、突起であることを特徴とする請求項１記載のトリガスイッチ。
【請求項４】
前記第２係合部は、前記ストッパの前記トリガの移動方向と交差する方向の両端部に設けられ、前記第１係合部も前記第２係合部に対応して前記第１側面の両端部に設けられることを特徴とする請求項１記載のトリガスイッチ。
【請求項５】
前記レバーの前記中間部は、前記切替え機構の底面に設けられた軸に回動自在に支持されることを特徴とする請求項１記載のトリガスイッチ。
【発明の詳細な説明】
【技術分野】
【０００１】
本発明の実施形態は、例えば電動工具に適用され、モータの回転速度と回転方向を制御することができるトリガスイッチに関する。
【背景技術】
【０００２】
モータの回転速度及び回転方向を制御することが可能なトリガスイッチは、モータの回転速度を制御するためのトリガと、モータの回転方向を第１方向（正回転）、又は第２方向（逆回転）に切替るためのレバーを具備している。このトリガスイッチは、モータの逆回転が選択された場合、正回転に比べてモータのスピードが遅くなるように制御される。このため、モータが逆回転する場合において、ユーザに大きな負荷がかかることが防止され、電動工具を安全に使用することが可能とされている（例えば特許文献１参照）。
【先行技術文献】
【特許文献】
【０００３】
【特許文献１】特許第３７６８４００号公報
【発明の概要】
【発明が解決しようとする課題】
【０００４】
上記トリガスイッチは、レバーにより正回転が選択された場合、トリガは、許容される移動範囲の終端（フルストローク）まで操作することができ、モータを高速回転させることが可能とされている。また、レバーにより逆回転が選択された場合、トリガは、ストッパにより、移動範囲が制限され、モータを高速に回転することができないようにされる。
【０００５】
レバーは突起を有し、レバーによりモータの逆回転を選択する場合、ストッパは、レバーに設けられた突起により、正回転が選択された場合の位置から規定された位置に移動し、トリガの移動範囲を制限する。このため、レバーが繰り返し操作され、突起が摩耗した場合、ストッパを規定された位置に移動させることが困難となる。
【０００６】
また、レバーは、トリガスイッチのケースに回動可能に設けられている。しかし、レバーが繰り返し操作され、レバーがケースに対してがたつきが発生すると、レバーの突起がストッパに確実に当接できなくなり、ストッパを規定された位置に移動させることが困難となる。
【０００７】
本発明の実施形態は、レバーによりストッパを確実に移動させることができ、信頼性の高いトリガスイッチを提供する。
【課題を解決するための手段】
【０００８】
本実施形態のトリガスイッチは、第１側面と、前記第１側面に隣接する第２側面を有し、モータの回転速度を制御する速度制御機構を内蔵し、前記第１側面に第１係合部を有するケースと、前記ケースの前記第１側面に接近する方向に移動可能に設けられ、前記速度制御機構を操作するトリガと、前記ケースに設けられ、前記モータの回転方向を切替える切替え機構と、一端部と他端部及び前記一端部と前記他端部との間の中間部を有し、前記一端部に第１傾斜部が設けられ、前記中間部が前記ケースに対して回動可能で、前記他端部が前記切替え機構に連結されたレバーと、前記トリガ内に、前記トリガの移動方向と交差する方向に移動可能に設けられ、前記レバーが前記モータの正回転を示す第１位置に回動された時、前記第１傾斜部に接触されず、前記レバーが前記モータの逆回転を示す第２位置に回動された時、前記第１傾斜部に接触することが可能な第２傾斜部と、前記レバーが前記第１位置に回動され、前記トリガが前記ケース方向に移動された時、前記ケースの前記第１係合部に係合せず、前記レバーが前記第２位置に回動され、前記トリガが前記ケース方向に移動された時、初期位置から移動されて前記ケースの前記第１係合部に係合する第２係合部を有するストッパと、前記ストッパを前記初期位置方向に付勢する弾性部材と、を具備する。
【図面の簡単な説明】
【０００９】
【図１】本実施形態に係るトリガスイッチを示す上面図。
【図２】本実施形態に係るトリガスイッチを示す側面図。
【図３】本実施形態に係るトリガスイッチを示す分解斜視図。
【図４】図３の異なる方向から見た分解斜視図。
【図５】本実施形態に係るトリガ内部の構成を示す図。
【図６】本実施形態に係るトリガスイッチの回路の一例を概略的に示す構成図。
【図７】本実施形態に係るトリガスイッチの動作を示すものであり、レバーが正回転を選択している場合を示す斜視図。
【図８】図７と異なる動作状態を示すものであり、レバーが逆回転を選択している場合を示す斜視図。
【図９】レバーとストッパの関係を示すものであり、レバーが正回転を選択している場合を示す斜視図。
【図１０】レバーとストッパの関係を示すものであり、レバーが逆回転を選択している場合を示す斜視図。
【図１１】レバーが正回転を選択している場合におけるトリガの初期位置を示す側面図。
【図１２】レバーが正回転を選択している場合におけるトリガの最終移動位置を示す側面図。
【図１３】レバーが逆回転を選択している場合におけるトリガの初期位置を示す側面図。
【図１４】レバーが逆回転を選択している場合におけるトリガの最終移動位置を示す側面図。
【図１５】本実施形態の変形例を示すものであり、レバーとストッパを示す斜視図。
【発明を実施するための形態】
【００１０】
以下、実施の形態について、図面を参照して説明する。図面において、同一部分には同一符号を付している。
【００１１】
図１、図２において、トリガスイッチ１０は、ケース１１、トリガ１２、レバー１３、切替え機構１４、ロック釦１５、及び複数の接続端子１６ａ、１６ｂなどを具備している。
【００１２】
ケース１１は、内部にスイッチやモータの回転速度を制御する速度制御回路（図６に示す）を具備している。ケース１１の第１側面１１ａには、トリガ１２、及びトリガ１２に連動する軸１７（図３、図４に示す）が設けられている。軸１７は、トリガ１２の操作に従って、スイッチや速度制御回路に含まれる可変抵抗を駆動する。軸１７は、ケース内に設けられた図示せぬばねにより、ケース１１から突出する方向に付勢されている。
【００１３】
レバー１３は、一端部、他端部及び一端部と他端部との間の中間部を有している。レバー１３の中間部は、ケース１１の第１側面１１ａと隣接する第２側面１１ｂに対して回動可能に設けられる。
【００１４】
レバー１３の一端部は、トリガ１２の上部に位置し、ユーザにより操作される。レバー１３の中間部と他端部は、切替え機構１４とケース１１の第２側面１１ｂとの間に位置し、他端部は、後述するように、切替え機構１４に連結される。
【００１５】
レバー１３の中間部と他端部は、切替え機構１４とケース１１の第２側面１１ｂとの間に位置されているため、図示上下方向の動きが規制され、がたつきが生じることが防止されている。したがって、レバー１３に設けられた第１傾斜部１３ａの位置が垂直方向に変化することが防止されている。
【００１６】
切替え機構１４は、レバー１３の操作に従って、モータの回転を正回転又は逆回転に切替える。切替え機構１４は、カバー１４ａ内に、後述するスイッチ機構を有している。カバー１４ａは、ケース１１の第２側面１１ｂと隣接する第３側面１１ｃと第４側面１１ｄに係合され、ケース１１とともにレバー１３の中間部及び他端部を回動可能に挟持する。
【００１７】
ロック釦１５は、ケース１１の第３側面１１ｃに設けられている。ロック釦１５は、スイッチのオン状態をロックするものである。トリガ１２がフルストロークまで操作された状態において、ロック釦１５を押し込むと、図示せぬピンが後述するトリガ１２の係合部１２ｅ（図３に示す）に係合され、トリガ１２の操作状態が保持される。この状態より、例えばトリガ１２を若干押し込むとロックが解除される。ロック機構の詳細については、説明を省略する。
【００１８】
接続端子１６ａ、１６ｂは、例えばケース１１の第３側面１１ｃ及び図示せぬ底面に設けられている。接続端子１６ａ、１６ｂは、例えば後述するモータに接続される。
【００１９】
図３、図４は、トリガ１２とレバー１３、及び切替え機構１４を分解して示している。
【００２０】
トリガ１２は、複数のガイド突起１２ａ、１２ｂ、１２ｃ、１２ｄを具備している。複数のガイド突起１２ａ、１２ｂ、１２ｃ、１２ｄは、ケース１１の第１側面１１ａと対向する側面に設けられている。これらガイド突起１２ａ、１２ｂ、１２ｃ、１２ｄは、ケース１１の第１側面１１ａに設けられたガイド溝１１ｆ、１１ｇ、１１ｈ、１１ｉに挿入される。このため、トリガ１２は、ケース１１の第１側面１１ａに対して傾斜することなく、第１側面１１ａに接近する方向（図示Ａ方向）及び第１側面１１ａから離れる方向（図示Ｂ方向）に移動可能とされている。
【００２１】
トリガ１２のガイド突起１２ａと１２ｂとの間には、ロック機構を構成する係合部１２ｅが設けられている。係合部１２ｅは、ケース１１の第１側面１１ａに設けられたロック釦１５の図示せぬピンに係合可能とされている。
【００２２】
トリガ１２の内部には、ケース１１の第１側面１１ａから突出された軸１７の先端部が嵌合される嵌合部１２ｆが設けられている。軸１７には、例えばゴム製の防塵用カバー１８が装着されている。
【００２３】
トリガ１２の内部には、ストッパ２０が設けられる。ストッパ２０は、トリガ１２と共に図示矢印Ａ方向及びＢ方向に移動し、後述するように、レバー１３によりモータの逆回転が選択された時、図示矢印Ｄ方向に移動してトリガ１２の移動範囲を規制する。
【００２４】
ストッパ２０は、図４に示すように、略方形の枠状であり、内部に軸１７が挿入される。ストッパ２０は、ガイド突起２０ａ、２０ｂ、レバー１３に設けられた第１傾斜部１３ａに当接することが可能な第２傾斜部２０ｃ、及びケース１１の第１係合部１１ｊ、１１ｋに係合可能な第２係合部２０ｄ、２０ｅを有している。
【００２５】
ガイド突起２０ａ、２０ｂは、ストッパ２０のトリガ１２の内面と対向する部分に設けられている。ガイド突起２０ａ、２０ｂは、図５に示すように、トリガ１２の内面に設けられた凹部１２ｇ、１２ｈに移動可能に挿入される。このため、ストッパ２０は、トリガ１２の移動方向と交差する方向（図矢印Ｃ方向及びＤ方向）に移動可能とされている。
【００２６】
図５に示すように、トリガ１２の内部には、ばね２１が設けられており、このばね２１により、ストッパ２０は、常時、レバー１３方向（図示矢印Ｃ方向）に付勢されている。このため、ストッパ２０の上面は、レバー１３の下面に当接されている。
【００２７】
さらに、図４に示すように、ストッパ２０の上部には、第２傾斜部２０ｃが設けられている。第２傾斜部２０ｃは、レバー１３に設けられた第１傾斜部１３ａに当接可能とされている。第２傾斜部２０ｃは、後述するように、レバー１３が第１位置にあり、モータの正回転を選択している時、第１傾斜部１３ａに当接されず、レバー１３が第２位置にあり、モータの逆回転を選択している時、第１傾斜部１３ａに当接可能とされる。
【００２８】
ストッパ２０には、第２係合部２０ｄ、２０ｅが設けられている。第２係合部２０ｄ、２０ｅは、例えば突起である。第２係合部２０ｄ、２０ｅは、ストッパ２０のケース１１の第１側面１１ａと対向する部分に設けられている。第２係合部２０ｄ、２０ｅは、ケース１１の第１側面１１ａに設けられた第１係合部１１ｊ、１１ｋに係合可能とされている。
【００２９】
第１係合部１１ｊ、１１ｋは、第２係合部２０ｄ、２０ｅに当接可能な例えば突起である。第１係合部１１ｊの上部には、ストッパ２０の第２係合部２０ｄが進入することが可能な凹部１１ｌが設けられ、第１係合部１１ｋの上部には、ストッパ２０の第２係合部２０ｅが進入することが可能なスペース１１ｍが設けられている。
【００３０】
第１係合部１１ｊ、１１ｋは、突起に限定されるものではなく、ケース１１の第１側面１１ａそのものでもよい。この場合、ケース１１の第１側面１１ａに第２係合部２０ｄ、２０ｅが進入可能な凹部を設けてもよい。
【００３１】
さらに、ストッパ２０の第２係合部２０ｄ、２０ｅも、突起に限定されるものではなく、ストッパ２０の枠体そのものでもよい。この場合、ストッパ２０の第１係合部１１ｊ、１１ｋと対向する側面に、第１係合部１１ｊ、１１ｋが選択的に進入可能な凹部を設けてもよい。
【００３２】
図３に示すように、切替え機構１４のカバー１４ａ内には、スイッチ機構を構成する例えば４つの固定接点１４ｂ、１４ｃ、１４ｄ、１４ｅ、ロータ１４ｆ、及び２つの可動接片１４ｇ、１４ｈが設けられている。
【００３３】
さらに、カバー１４ａは、その内側に軸１４ａ−１を具備し、その下面に軸１４ａ−２（図４に示す）を具備している。
【００３４】
前述したように、レバー１３の中間部は、図４に示すように、開口部１３ｃを有し、この開口部１３ｃに切替え機構１４のカバー１４ａに設けられた軸１４ａ−２が挿入される。このため、レバー１３は、軸１４ａ−２により回動可能に支持される。
【００３５】
図３に示すように、ロータ１４ｆは、中央部に開口部１４ｆ−１を有し、この開口部１４ｆ−１内にカバー１４ａ内に設けられた軸１４ａ−１が挿入される。ロータ１４ｆは、この軸１４ａ−１を中心として回転可能とされている。
【００３６】
ロータ１４ｆの下面には突起１４ｆ−２が設けられている。この突起１４ｆ−２は、レバー１３の他端部に設けられた溝１３ｂに連結されている。ロータ１４ｆは、レバー１３が回動されることにより、９０°回転される。
【００３７】
可動接片１４ｇ、１４ｈは、ロータ１４ｆの上面に平行に配置され、固定接点１４ｂ、１４ｃ、１４ｄ、１４ｅに選択的に接触される。
【００３８】
固定接点１４ｂ、１４ｃは、コモン接点であり、固定接点１４ｂは、ロータ１４ｆの回転に伴い可動接片１４ｇ、１４ｈにより、固定接点１４ｄ、１４ｅに選択的に接続され、固定接点１４ｃは、可動接片１４ｇ、１４ｈにより、固定接点１４ｅ、１４ｄに選択的に接続される。
【００３９】
カバー１４ａの側面には、開口部１４ｊ、１４ｋ、１４ｌ、１４ｍが設けられている。開口部１４ｊ、１４ｋ、１４ｌ、１４ｍ内に、固定接点１４ｂ、１４ｃ、１４ｄ、１４ｅに接続される図示せぬ配線が挿入される。
【００４０】
図６は、本実施形態に係るトリガスイッチの回路構成を概略的に示している。回路構成はこれに限定されるものではなく、変形可能である。
【００４１】
ケース１１内には、速度制御回路（速度制御機構）３０が設けられている。速度制御回路３０には、スイッチ３１、及び速度制御を行うための可変抵抗３２が接続されている。
【００４２】
スイッチ３１及び可変抵抗３２は、トリガ１２に連結された軸１７により操作される。スイッチ３１は、単投スイッチに限らず、例えば双投スイッチであってもよい。
【００４３】
速度制御回路３０は、図示せぬ例えばトライアックやサイリスタなどを含み、可変抵抗３２の抵抗値に従ってモータ３４の回転速度を制御する。
【００４４】
切替え機構１４は、レバー１３により操作される。切替え機構１４において、固定接点１４ｂ、１４ｃは、例えばコモン接点であり、モータ３４に接続される。固定接点１４ｄ及び固定接点１４ｅの間には、電源３３、スイッチ３１、及び速度制御回路３０に接続される。
【００４５】
レバー１３が例えば正回転を選択している時、可動接片１４ｇは、固定接点１４ｂと固定接点１４ｅを接続し、可動接片１４ｈは、固定接点１４ｃと固定接点１４ｄを接続する。レバー１３が例えば逆回転を選択している時、可動接片１４ｇは、固定接点１４ｂと固定接点１４ｄを接続し、可動接片１４ｈは、固定接点１４ｃと固定接点１４ｅを接続する。このようにして、モータ３４の回転方向が切替えられる。
【００４６】
図７、図８、図９及び図１０は、レバー１３の操作とストッパ２０の関係を示している。
【００４７】
図７、図９は、レバー１３がモータの正回転を選択している場合を示している。この場合、レバー１３の第１傾斜部１３ａは、ストッパ２０の第２傾斜部２０ｃと対向しない位置に移動される。このため、ストッパ２０がトリガ１２により、図示矢印Ａ方向に移動された場合、ストッパ２０の第２傾斜部２０ｃは、レバー１３の第１傾斜部１３ａに当接しない。したがって、ストッパ２０は、図示矢印Ｄ方向に移動されず、ストッパ２０の上面がレバー１３の下面に接した状態で、図示矢印Ａ方向に移動される。
【００４８】
一方、図８、図１０は、レバー１３がモータの逆回転を選択している場合を示している。この場合、レバー１３の第１傾斜部１３ａは、ストッパ２０の第２傾斜部２０ｃと対向する位置に移動される。このため、ストッパ２０がトリガ１２により、図示矢印Ａ方向に移動された場合、ストッパ２０の第２傾斜部２０ｃは、レバー１３の第１傾斜部１３ａに当接し、さらに、トリガ１２が図示矢印Ａ方向に移動された場合、ストッパ２０は、第１傾斜部１３ａに沿って、図示矢印Ｄ方向に移動する。このため、ストッパ２０は、第２傾斜部２０ｃの上面がレバー１３の下面に接した状態で、図示矢印Ａ方向に移動される。
【００４９】
図１１、図１２は、レバー１３がモータの正回転を選択している場合の動作を示している。
【００５０】
図１１は、ケース１１の内部の図示せぬスイッチがオフである初期状態を示している。初期状態において、軸１７はケース１１から突出した位置にあり、トリガ１２は、軸１７の先端に当接した位置にある。このとき、ストッパ２０は、ばね２１により上面がレバー１３方向の下面に接した位置（初期位置）にあり、レバー１３の第１傾斜部１３ａは、前述したように、ストッパ２０の第２傾斜部２０ｃと対向しない位置にある。
【００５１】
トリガ１２をケース１１方向（図示矢印Ａ方向）に移動させると、ストッパ２０は、その上面がレバー１３の下面に接した状態で、図示矢印Ａ方向に平行に移動する。このとき、ストッパ２０の第２係合部２０ｄ、２０ｅは、ケース１１の第１係合部１１ｊ、１１ｋと対向していない。このため、トリガ１２をケース１１方向（図示矢印Ａ方向）にさらに移動させると、図１２に示すように、ストッパ２０の第２係合部２０ｄは、第１係合部１１ｊ上の凹部１１ｌ内に侵入し、第２係合部２０ｅは、第１係合部１１ｋ上のスペース１１ｍ内に移動する。したがって、トリガ１２は、移動範囲内を規制されることなく、フルに移動され、モータを高速回転させることが可能である。
【００５２】
図１２に示す状態において、トリガ１２に対する操作力を解除すると、トリガ１２は、ケース１１内のばねの付勢力によって軸１７が突出されることにより、図示矢印Ｂ方向に移動し、図１１に示す初期位置に復帰する。
【００５３】
一方、図１３、図１４は、レバー１３がモータの逆回転を選択している場合の動作を示している。
【００５４】
図１３は、前述したようにスイッチがオフ状態である初期状態を示している。初期状態において、レバー１３がモータの逆回転を選択しているため、レバー１３の第１傾斜部１３ａは、ストッパ２０の第２傾斜部２０ｃと対向する位置にある。
【００５５】
トリガ１２をケース１１方向（図示矢印Ａ方向）に移動させると、ストッパ２０は、第２傾斜部２０ｃがレバー１３の第１傾斜部１３ａに接した状態で、初期位置から図示矢印Ａ方向及びＤ方向に移動する。このため、ストッパ２０の第２係合部２０ｄ、２０ｅは、ケース１１の第１係合部１１ｊ、１１ｋと対向する位置に移動される。
【００５６】
この状態において、トリガ１２をケース１１方向（図示矢印Ａ方向）にさらに移動させると、図１４に示すように、ストッパ２０の第２傾斜部２０ｃの上面は、レバー１３の下面に接触した状態で、図示矢印Ａ方向に移動される。このため、ストッパ２０の第２係合部２０ｄ及び２０ｅは、第１係合部１１ｊ及び１１ｋに当接する。したがって、トリガ１２は、ストッパ２０により移動範囲が規制されるため、モータの回転速度が抑制される。
【００５７】
図１４に示す状態において、トリガ１２に対する操作力を解除すると、トリガ１２は、ケース１１内のばねの付勢力により、軸１７が突出されることにより、図示矢印Ｂ方向に移動する。これと共に、ストッパ２０は、ばね２１の付勢力により、図示矢印Ｃ方向に移動され、図１３に示す初期位置に復帰する。
（実施形態の効果）
上記実施形態によれば、ストッパ２０はトリガ１２の内部にトリガ１２の移動方向と交差する方向に移動可能に設けられ、レバー１３の第１傾斜部１３ａに当接可能な第２傾斜部２０ｃを有している。レバー１３が逆回転を選択したとき、第１傾斜部１３ａは第２傾斜部２０ｃに対向され、トリガ１２が操作されると、第２傾斜部２０ｃが第１傾斜部１３ａに当接して、スライドされる。このため、第１傾斜部１３ａと第２傾斜部２０ｃは、摩耗が少なく、レバー１３の操作に応じて、ストッパ２０を選択的に且つ確実に動作させることが可能である。
【００５８】
しかも、本実施形態によれば、トリガ１２の操作と共にストッパ２０が移動し、第２傾斜部２０ｃが第１傾斜部１３ａに接触した状態でスライドすることによりストッパ２０が下方に移動される。このため、第２傾斜部２０ｃの傾斜角度を小さくすることができる。したがって、第１傾斜部１３ａと第２傾斜部２０ｃとの摩擦力を軽減でき、第２傾斜部２０ｃの摩耗を防止することができるため、モータの逆回転が選択された場合、モータの速度を確実に抑制することができる。
【００５９】
仮に、レバー１３によるモータの逆回転を選択する動作のみにより、ストッパ２０を下方に移動させる場合、レバー１３に設けられた第１傾斜部１３ａが図示水平方向に移動する僅かな距離でストッパ２０を下方に移動させる必要がある。特に、ケース１１が小型化され、ケースの幅が狭くなった場合、第１傾斜部１３ａが水平方向に移動できる距離が短縮される。このため、ストッパ２０が下方に移動する距離が本実施形態と等しい場合、第２傾斜部２０ｃの傾斜角度が本実施形態に比べて大きくなる。したがって、第１傾斜部１３ａと第２傾斜部２０ｃとの摩擦力が大きくなり、第２傾斜部２０ｃが摩耗し易くなるため、モータの逆回転が選択された場合、モータの速度を抑制することが困難となる。
【００６０】
また、ストッパ２０はトリガ１２の内部に配置されている。このため、ストッパ２０を配置するためのスペースを別途設ける必要がないため、トリガスイッチ１０の小型化を図ることが可能である。
【００６１】
さらに、レバー１３の中間部と他端部は、ケース１１の上面と切替え機構１４との間に挟持されており、レバー１３に設けられた第１傾斜部１３ａの位置が回動方向と交差する方向、すなわち上下方向に変化することを抑制できる。このため、レバー１３の第１傾斜部１３ａとストッパ２０の第２傾斜部２０ｃとの接触を安定に保持することができるため、モータの逆回転が選択された時、レバー１３及びトリガ１２の操作に応じて確実にストッパ２０を移動させることができる。したがって、モータの逆回転が選択された時、トリガ１２の操作範囲を確実に規制することができ、電動工具を安全に操作することが可能である。
【００６２】
また、レバー１３は、カバー１４ａの底部に設けられた軸１４ａ−２により支持されており、ケース１１の上面及び切替え機構１４の下面は、開口部を有していない。このため、レバー１３の操作に伴い塵埃が発生した場合においても、ケース１１の内部、及び切替え機構１４の内部に塵埃が浸入することを防止できる。したがって、トリガスイッチの信頼性を向上することが可能である。
【００６３】
さらに、ストッパ２０の第２係合部２０ｄ、２０ｅは、ストッパ２０のトリガ１２の移動方向と交差する方向の両端部に設けられる。すなわち、第２係合部２０ｄ、２０ｅは、ケース１１の第１係合部１１ｊ、１１ｋに対応して、ストッパ２０の上下方向の両端部に設けられる。このため、レバー１３によりモータの逆回転が選択された時、ストッパ２０の第２係合部２０ｄ、２０ｅを確実に第１係合部１１ｊ、１１ｋに当接させることができる。
（変形例）
図１５は、本実施形態の変形例を示している。
【００６４】
上記実施形態において、ストッパ２０は、トリガ１２に対して上下方向に移動可能とした。しかし、これに限定されるものではなく、トリガ１２に対して横方向に移動させることも可能である。
【００６５】
図１５は、ストッパ２０をトリガ１２に対して横方向に移動させる場合の構成を示している。
【００６６】
レバー１３の第１傾斜部１３ａ−１は、傾斜面が横向き設けられ、ストッパ２０の第２傾斜部２０ｃ−１の傾斜面も横向きに設けられている。ストッパ２０の第２係合部２０ｄ−１、２０ｅ−１は、ストッパ２０の幅方向の両側に設けられる。ケース１１の第１係合部１１ｊ−１、１１ｋ−１も第１側面１１ａの両側に設けられる。ストッパ２０は、ばね２１により、図示矢印Ｆ方向に付勢されている。
【００６７】
上記構成において、ストッパ２０は初期位置にある。この状態において、レバー１３によりモータの逆回転が選択される場合、レバー１３が回動され、第１傾斜部１３ａが第２傾斜部２０ｃ−１に対向する位置に移動される。この後、トリガ１２が図示Ａ方向に移動されると、第２傾斜部２０ｃ−１が第１傾斜部１３ａ−１に接触した状態でスライドされ、ストッパ２０が図示矢印Ｅ方向に移動される。この状態でさらにトリガ１２が図示Ａ方向に移動されると、ストッパ２０は、レバー１３の側面に沿って移動され、ストッパ２０の第２係合部１２ｄ−１、１２ｅ−１がケース１１の第１係合部１１ｊ−１、１１ｋ−１に当接される。このため、トリガ１２の移動範囲が規制され、モータの回転速度が抑制される。
【００６８】
トリガ２０の操作力を解除すると、トリガ２０は、ケース１１内のばねの付勢力により、軸１７が突出されることにより、図示矢印Ｂ方向に移動する。これと共に、ストッパ２０は、ばね２１の付勢力により、図示矢印Ｆ方向に移動され、初期位置に復帰する。
【００６９】
上記変形例によっても上記実施形態と同様の効果を得ることができる。
【００７０】
その他、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７１】
１０…トリガスイッチ、１１…ケース、１１ａ…第１側面、１１ｊ、１１ｋ、１１ｊ−１、１１ｋ−１…第１係合部、１２…トリガ、１３…レバー、１３ａ、１３ａ−１…第１傾斜部、１４…切替え機構、１４ａ…カバー、１４ａ−１…軸、１４ａ−２…軸、１７…軸、２０…ストッパ、２０ｃ、２０ｃ−１…第２傾斜部、２０ｄ、２０ｅ、２０ｄ−１、２０ｅ−１…第２係合部、２１…ばね、３０…速度制御回路、３１…スイッチ。
【図１】
2019061875.tif 000003
【図２】
2019061875.tif 000004
【図３】
2019061875.tif 000005
【図４】
2019061875.tif 000006
【図５】
2019061875.tif 000007
【図６】
2019061875.tif 000008
【図７】
2019061875.tif 000009
【図８】
2019061875.tif 000010
【図９】
2019061875.tif 000011
【図１０】
2019061875.tif 000012
【図１１】
2019061875.tif 000013
【図１２】
2019061875.tif 000014
【図１３】
2019061875.tif 000015
【図１４】
2019061875.tif 000016
【図１５】
2019061875.tif 000017